(57)【要約】【課題】  網点の境界に存在する画素を利用した濃度・色調の補正においてシャドウ側及びハイライト側の各補正バランスを調整できる網点画像形成方法及び網点画像形成装置を提供する。【解決手段】  この網点画像形成方法は、２値の網点画像データに基づいて網点画像を形成する際に、網点画像において網点の境界画素を特定し、特定された境界画素の境界における外側エッジ及び内側エッジを検知し、検知された外側エッジ及び内側エッジにおける濃度及び色調の少なくともいずれか一方を変えるように網点画像データを補正し、補正された網点画像データにより画像形成を行う。外側エッジ及び内側エッジにおける濃度及び色調の少なくともいずれか一方を変えることで、網点画像におけるハイライト側及びシャドウ側の各補正バランスを調整可能とする。【選択図】  図８
2005333355.tif 000002
【特許請求の範囲】
【請求項１】
２値の網点画像データに基づいて網点画像を形成する方法であって、
網点画像において網点の境界画素を特定し、前記特定された境界画素の境界における外側エッジ及び内側エッジを検知するステップと、
前記検知された外側エッジ及び内側エッジの濃度及び色調の少なくともいずれか一方を変えるように前記網点画像データを補正するステップと、
前記補正された網点画像データにより画像形成を行うステップと、を含み、
前記外側エッジ及び内側エッジの濃度及び色調の少なくともいずれか一方を変えることで、前記網点画像におけるハイライト側及びシャドウ側の各補正バランスを調整可能とすることを特徴とする網点画像形成方法。
【請求項２】
前記２値の網点画像データに基づいてカラープルーフを作成する際に、前記補正された網点画像データにより前記カラープルーフにおけるドットゲインを調整することを特徴とする請求項１に記載の網点画像形成方法。
【請求項３】
前記外側エッジ及び内側エッジを検知するエッジ幅を網点サイズ及び画素サイズの少なくとも一方に基づいて設定し、前記検知したエッジ幅において前記濃度及び前記色調の少なくともいずれか一方を変えることを特徴とする請求項１または２に記載の網点画像形成方法。
【請求項４】
２値の網点画像データに基づいて網点画像を形成する装置であって、
網点画像において網点の境界画素を特定し、前記特定された境界画素の境界における外側エッジ及び内側エッジを検知する手段と、
前記検知された外側エッジ及び内側エッジの濃度及び色調の少なくともいずれか一方を変えるように前記網点画像データを補正する補正手段と、
前記補正された網点画像データにより画像形成を行う手段と、を備え、
前記外側エッジ及び内側エッジの濃度及び色調の少なくともいずれか一方を変えることで、前記網点画像におけるハイライト側及びシャドウ側の各補正バランスを調整可能とすることを特徴とする網点画像形成装置。
【請求項５】
前記２値の網点画像データに基づいてカラープルーフを作成する際に、前記補正された網点画像データにより前記カラープルーフにおけるドットゲインを調整することを特徴とする請求項４に記載の網点画像形成装置。
【請求項６】
前記外側エッジ及び内側エッジを検知するエッジ幅を網点サイズ及び画素サイズの少なくとも一方に基づいて設定し、前記検知したエッジ幅において前記濃度及び前記色調の少なくともいずれか一方を変えることを特徴とする請求項４または５に記載の網点画像形成装置。
【発明の詳細な説明】
【技術分野】
【０００１】
本発明は、２値網点画像データに基づいて網点画像を形成する網点画像形成方法及び網点画像形成装置に関するものである。
【背景技術】
【０００２】
従来、カラー印刷工程において、カラー印刷物の校正のため校正物（カラープルーフ）を別途作成し、本番の印刷版を作成する前に印刷物の仕上がりを事前に確認している。このため、網点画像データ生成装置等のフロントシステムで多値画像データを網点化し２値画像データを生成し、この網点画像データに基づいてカラープルーフ作成装置で波長の異なる複数の光源によって銀塩カラー感光材料を露光してカラープルーフ（校正物）を作成している。このようなカラープルーフ作成装置では、Ｙ版、Ｍ版、Ｃ版及びＫ版に色分解された各色の組み合わせに対応するルックアップテーブル（ＬＵＴ）を設定し露光を行っていた（例えば、下記特許文献１，２参照）。
【０００３】
ところが、インクを使用して行われるカラー印刷では、印刷機械の印圧で網点が潰されて太るドットゲイン等の現象があるため、カラープルーフ作成装置で銀塩カラー感光材料に対する露光で発色させて作成したカラープルーフの画像は、実際の印刷物と色調が相違することがあり、印刷物の画像を充分に再現できない場合があった。このため、２値網点画像に対して網点の境界部の濃度を変えてドットゲインを調整していた。例えば、本発明者は、先に、特願２００３−３２５３９３で、網点の境界画素の全周に沿った画素の濃度を網点の画素よりも低くすることで、ドットゲインの調整を低い演算処理負荷で実現できることを提案した。
【０００４】
しかし、かかる調整によれば、シャドウ部からハイライト部までを含む全体のドットゲインの調整には効果的であるが、シャドウ部やハイライト部のドットゲインを独立に調整して、シャドウ部、ミッドトーン部、ハイライト部のバランスを補正することはできなかった。
【０００５】
また、例えば、下記特許文献１では、網点の境界部分の画素を反転して画素を増減することで網点画像の階調を制御しているが、付加した画素は元の網点と同じ露光量で記録している。また、下記特許文献２では、網点画像を露光する際に露光量により直接、網点の濃度を制御している。
【特許文献１】特開２００２−２９０７２２公報
【特許文献２】特開平０７−１５６３６２号公報
【発明の開示】
【発明が解決しようとする課題】
【０００６】
本発明は、上述のような従来技術の問題に鑑み、網点の境界に存在する画素を利用した濃度・色調の補正においてシャドウ側及びハイライト側の各補正バランスを調整できるようにした網点画像形成方法及び網点画像形成装置を提供することを目的とする。
【課題を解決するための手段】
【０００７】
上記目的を達成するために、本発明による網点画像形成方法は、２値の網点画像データに基づいて網点画像を形成する方法であって、網点画像において網点の境界画素を特定し、前記特定された境界画素の境界における外側エッジ及び内側エッジを検知するステップと、前記検知された外側エッジ及び内側エッジの濃度及び色調の少なくともいずれか一方を変えるように前記網点画像データを補正するステップと、前記補正された網点画像データにより画像形成を行うステップと、を含み、前記外側エッジ及び内側エッジの濃度及び色調の少なくともいずれか一方を変えることで、前記網点画像におけるハイライト側及びシャドウ側の各補正バランスを調整可能とすることを特徴とする。
【０００８】
この網点画像形成方法によれば、網点の境界画素の境界における外側エッジ及び内側エッジにおける濃度及び色調の少なくともいずれか一方を変えることで、網点の外側エッジと内側エッジではハイライト側とシャドウ側での画素数が逆となる傾向があるので、網点画像におけるハイライト側及びシャドウ側の各補正バランスが調整可能になる。
【０００９】
上記網点画像形成方法において前記２値の網点画像データに基づいてカラープルーフを作成する際に、前記補正された網点画像データにより前記カラープルーフにおけるドットゲインを調整するようにできる。これにより、ドットゲイン調整においてハイライト側及びシャドウ側の各補正バランスを調整できる。
【００１０】
また、前記外側エッジ及び内側エッジを検知するエッジ幅を網点サイズ及び画素サイズの少なくとも一方に基づいて設定し、前記検知したエッジ幅において前記濃度及び前記色調の少なくともいずれか一方を変えることが好ましい。網点サイズは例えばスクリーン線数により変わり、それに応じて適正なエッジ幅を決めることができる。また、画素サイズは、例えば出力解像度により変わり、それに応じて適正なエッジ幅を決めることができる。
【００１１】
本発明による網点画像形成装置は、２値の網点画像データに基づいて網点画像を形成する装置であって、網点画像において網点の境界画素を特定し、前記特定された境界画素の境界における外側エッジ及び内側エッジを検知する手段と、前記検知された外側エッジ及び内側エッジの濃度及び色調の少なくともいずれか一方を変えるように前記網点画像データを補正する補正手段と、前記補正された網点画像データにより画像形成を行う手段と、を備え、前記外側エッジ及び内側エッジの濃度及び色調の少なくともいずれか一方を変えることで、前記網点画像におけるハイライト側及びシャドウ側の各補正バランスを調整可能とすることを特徴とする。
【００１２】
この網点画像形成装置によれば、網点の境界画素の境界における外側エッジ及び内側エッジにおける濃度及び色調の少なくともいずれか一方を変えることで、網点の外側エッジと内側エッジではハイライト側とシャドウ側での画素数が逆となる傾向があるので、網点画像におけるハイライト側及びシャドウ側の各補正バランスが調整可能になる。
【００１３】
上記網点画像形成装置において前記２値の網点画像データに基づいてカラープルーフを作成する際に、前記補正された網点画像データにより前記カラープルーフにおけるドットゲインを調整するように構成できる。これにより、ドットゲイン調整においてハイライト側及びシャドウ側の各補正バランスを調整できる。
【００１４】
また、前記外側エッジ及び内側エッジを検知するエッジ幅を網点サイズ及び画素サイズの少なくとも一方に基づいて設定し、前記検知したエッジ幅において前記濃度及び前記色調の少なくともいずれか一方を変えることが好ましい。
【００１５】
なお、本明細書において、上記網点の境界画素の境界における外側エッジとは、境界に隣接した色の付いていない画素であり、同じく、内側エッジとは、境界に隣接した色の付いた画素である。
【発明の効果】
【００１６】
本発明の網点画像形成方法及び網点画像形成装置によれば、網点の境界に存在する外側エッジ及び内側エッジの濃度・色調の補正を行うことで、シャドウ側及びハイライト側の各補正バランスを調整できるようになる。
【００１７】
また、網点の階調調整を行う場合、２値−多値変換を行ってから、補正量を制御する従来の一般的方法に比べ、外側エッジと内側エッジとの組み合わせで調整できるので、２値−多値変換は必要なく、演算負荷は小さくなり、上記補正バランスの調整が低コストで実現可能である。
【発明を実施するための最良の形態】
【００１８】
以下、本発明を実施するための最良の形態について図面を用いて説明する。図１は本実施の形態による網点画像形成装置を含む印刷システムの構成例を概略的に示す図である。
【００１９】
図１に示すように、印刷システムは、印刷工場のクライアント端末１からＰＳ(PostScript)データ等の画像データが画像処理装置であるＲＩＰ(Raster Image Processor)２に入力し、ＲＩＰ２はＰＳデータをラスター・イメージに変換処理し、ＲＩＰ２でラスター・イメージ変換処理されたデータがデジタルで直接印刷用の原版を作成するための装置であるＣＴＰ（コンピュータツウプレート）３に送られる一方、カラープルーフ作成のための制御装置１０に送られ、２値の網点画像データを生成し、この網点画像データに基づいて網点画像形成装置１１でカラープループを作成するように構成されている。
【００２０】
図１の制御装置１０及び網点画像形成装置１１によりデジタル画像出力システムが構成され、このデジタル画像出力システムにより印刷工場における印刷の際に印刷出力対象の絵柄、色調、文章、文字等の確認を行うためのカラープルーフ（校正用サンプル）を作成し出力する。このカラープルーフで色調やモアレ・ムラ等を確認し、図１のＣＴＰ３で原版を作成してから印刷機で印刷工程を実行する。
【００２１】
次に、図１の網点画像形成装置について図２乃至図４を参照して説明する。図２は図１の網点画像形成装置の要部を示すブロック図である。図３は図２のエッジ検出部において５×５マスクによるエッジ検出を説明するための図である。図４は図２のＬＵＴ２２に対してＣＰＵ２３により設定されるＲＧＢの各光源駆動値の例を模式的に示す図である。
【００２２】
図２に示すように、網点画像形成装置１１は、エッジ検出部２１と、ルックアップテーブル（ＬＵＴ）２２と、中央演算処理装置（ＣＰＵ）２３と、露光部２４と、現像部２５と、を備える。
【００２３】
エッジ検出部２１は、ある画素が０と１との変わり目のエッジ（境界）であるか否かを検出し境界画素を特定し、例えばその特定された境界画素の境界における外側エッジの色が付いていない１列目の画素及び２列目の画素を検出し、また境界における内側エッジの色が付いている１列目の画素及び２列目の画素を検出する。
【００２４】
エッジ検出部２１は、例えば、外側エッジの１列目の画素及び２列目の画素を検出し、内側エッジの１列目の画素及び２列目の画素を検出する場合には、図３のような５×５マスクを使用し、例えば、網点の境界外側の１画素のみを境界画素とする場合は、マスクの中央画素５０が白の画素であり、その４連結位置にある２画素幅分の周辺画素５１のいずれかが網点の中心画素であるときに、その中央画素５０を境界画素と判断する。また、図３と同様にして、中央画素が中心画素であるときに網点の境界内側の１画素を境界画素と判断する。
【００２５】
なお、エッジ検出部２１は、上述のように外側エッジの１列目・２列目の画素及び内側エッジの１列目・２列目の画素を検出する場合には図３のような５×５マスクを使用したが、マスクサイズは検出対象のエッジ幅に応じて決まるので、検出対象の画素のエッジ幅に基づいて適宜設定する。
【００２６】
ＬＵＴ２２は、図１の制御装置１０からの４色（ＹＭＣＫ）の２値綱点画像データ及びエッジ検出部２１で検出された網点の外側エッジ信号・内側エッジ信号が入力し、これらの入力信号に基づいて露光部２４に対するＲＧＢの各光源駆動値を出力するように構成される。
【００２７】
ＣＰＵ２３は、ＬＵＴ２２に対して、網点部、外側エッジ、内側エッジのＲＧＢの各光源駆動値を設定するように構成される。例えば、図４のように、網点部のＹＭＣＫの各１色、各２色、各３色の組み合わせ、及び各１色、各２色、各３色の各外側エッジ、各内側エッジについてＲＧＢの各光源駆動値が設定される。図４における外側エッジ、内側エッジの各光源駆動値は、例えば、Ｙ＋Ｅ（外）（Ｙの外側エッジ）、Ｙ＋Ｅ（内）（Ｙの内側エッジ）についてＹの光源駆動値ａに対する百分率（１０％、９０％）で示している。
【００２８】
露光部２４は、ＬＵＴ２２で設定された各光源駆動値に基づいて駆動された各光源からＲＧＢの各光でハロゲン化銀カラー感光材料に露光して画像を形成する。露光部２４で露光されて画像が形成されたハロゲン化銀カラー感光材料は露光部２４の下流側の現像部２５で現像処理されることで、その画像が可視化される。
【００２９】
次に、カラー印刷のカラープルーフ作成におけるドットゲイン調整のために網点の外側エッジの１列目と２列目及び内側エッジの１列目と２列目の各濃度を変えて階調調整を行ったプルーフ画像について図５，図６を参照して説明する。なお、以下の説明では、１色の網点画像についてドットゲイン調整のための階調調整を行う例について説明するが、複数色が重なり合う網点に対しても同様にして境界画素の検出結果に基づいて同様のドットゲイン調整のための階調調整を行うことができる。
【００３０】
図５は階調調整が行われていないプルーフ画像の一部を拡大した模式図である。図６は網点の外側エッジの１列目と２列目及び内側エッジの１列目と２列目の各濃度を変えたプルーフ画像を拡大した模式図である。
【００３１】
図５のように、一色の網点階調画像について階調調整が行われない場合、発色した画素３の集合により構成された網点１が白の画素２の海の中に設けられている。
【００３２】
次に、図６のように、図５と同じ画像部分について境界画素５が特定され、その境界（エッジ）６（図６の太線で示す）が検出され、外側エッジの１列目の画素４と２列目の画素４ａ及び内側エッジの１列目の画素５と２列目画素５ａが検出される。外側エッジの画素４、４ａ及び内側エッジの画素５、５ａの各濃度を変えてドットゲイン調整のための階調調整が行われることで網点１０が形成される。網点１０では網点の境界６の外側の２画素分の画素４、４ａが網点中心部の画素３と異なった濃度になっており、また、網点の境界６の内側の２画素分の画素５、５ａが網点中心部の画素３とは異なった濃度になっている。この濃度は、図４のように、外側エッジ、内側エッジの各光源駆動値の百分率により、それぞれ設定することができる。具体的には、画素４、４ａ及び画素５、５ａの色は画素３より濃度が低くなっている。
【００３３】
次に、シャドウ側とハイライト側のドットゲインのバランス調整について図７を参照して説明する。図７（ａ）は網点面積率が例えば１％のハイライト側（階調濃度が淡い部分）におけるプルーフ画像の一部を拡大した模式図であり、図７（ｂ）は網点面積率が例えば９９％のシャドウ側（階調が濃い部分）におけるプルーフ画像の一部を拡大した模式図である。
【００３４】
図７（ａ）のように、網点面積率が例えば１％のハイライト側（階調濃度が淡い部分）で網点が１画素ｇである場合を考えると、内側エッジの画素ｇは１つであり、外側エッジの画素は図の実線で示すように２列目まで考慮して、８つである。
【００３５】
また、図７（ｂ）のように、網点面積率が例えば９９％のシャドウ側（階調濃度が濃い部分）で色の付いていない１画素ｇ’が色の付いているベタ領域Ｇｂの中に存在している場合を考えると、内側エッジの画素は図の破線で示すように２列目まで考慮して、８つであり、外側エッジの画素は１つである。
【００３６】
図７（ａ）、（ｂ）から、一般にハイライト側においては外側エッジの画素数が内側エッジよりも多く、シャドウ側においては内側エッジの画素数が外側エッジよりも多い傾向にあることが分かる。このため、外側エッジの１列目と２列目の各画素及び内側エッジの１列目と２列目の各画素の濃度をそれぞれ変えてドットゲイン調整のための階調調整を行うと、図７（ａ）のように、ハイライト側においては網点の外側エッジほどハイライト側（階調濃度が淡い部分）への影響が強い特性があり、また、図７（ｂ）のように、内側エッジほどシャドウ側（階調が濃い部分）ヘの影響が強い特性がある。従って、これらの特性の違いを利用することで、ハイライト側及びシャドウ側における補正のバランスを調整することができる。
【００３７】
図８はドットゲイン調整をした場合の調整率と網点面積率との関係を概略的に示す図である。図８の破線で示す曲線は、従来のようにように網点の境界画素の全周に沿った画素の濃度を網点の画素よりも低くすることでドットゲインの調整を行った場合を示し、網点面積率が５０％前後の中間調の範囲において最もドットゲインを調整する一方、ハイライト側及びシャドウ側では０％、１００％に近づくにつれ調整率も０に近づいている。これに対し、本実施の形態の場合には、網点面積率が５０％前後の中間調の範囲において図６の網点の境界６に沿って配置される外側エッジ及び内側エッジの各画素数が最も多くなるので、外側エッジ及び内側エッジによる階調調整の効果が最も高くなる一方、上述のように網点面積率が５０％よりも小さいハイライト側及び５０％よりも大きいシャドウ側における補正バランスの調整により、例えば、図８の実線で示すように、ハイライト側の調整率を破線の場合と比べて大きくしシャドウ側の調整率を小さくするようなドッドゲイン調整が可能になる。
【００３８】
次に、上述の図１乃至図４の網点画像形成装置１１の動作について図９のフローチャートを参照して説明する。
【００３９】
まず、図１の制御装置１０で生成された２値の網点画像データが図２の網点画像形成装置１１にデータバッファ等のインターフェイスを介して入力すると（Ｓ０１）、エッジ検出部２１で、２値網点画像がビットプレーンごとに走査されて、網点の中心画素と境界画素が特定され（Ｓ０２）、その特定された境界画素の境界における外側エッジの１列目の画素及び２列目の画素及び内側エッジの色が付いている１列目の画素及び２列目の画素を検出する（Ｓ０３）。
【００４０】
次に、特定された境界画素ごとに２値網点画像のデータが補正され、具体的には、図２のＣＰＵ２３がＬＵＴ２２に対して、例えば、図４のように、網点部、外側エッジ、内側エッジのＲＧＢの各光源駆動値を設定する（Ｓ０４）。これにより、外側エッジ及び内側エッジの各画素を含めて各画素毎に濃度が設定される。この動作を繰り返すことで、すべての画素について濃度が設定される。
【００４１】
次に、上述の設定された画像データを図２の露光部２４に出力し（Ｓ０５）、画像データに基づいて露光部２４でＲＧＢの各光源からハロゲン化銀感光材料からなる記録紙に露光する（Ｓ０６）。この露光が終了したら直ちに露光済み記録紙が現像部２５に搬送され、現像部２５で露光済み記録紙の現像処理が行われてから（Ｓ０７）、カラープルーフとして出力する（Ｓ０８）。
【００４２】
以上のように、本実施の形態によれば、網点のエッジ（境界）部分の外側（色の付いていない）２列までの濃度及び内側（色の付いている）２列までの濃度を変えてドットゲイン調整または色調整を行う場合において、網点の外側エッジと内側エッジとを比べると、ハイライト側とシャドウ側でのエッジ画素数が逆となる傾向があり、それを利用してシャドウ側、ハイライト側の各濃度を組み合わせることで、シャドウ側、ハイライト側における補正バランスを調整することができる。
【００４３】
また、従来は網点の階調調整を行う場合、２値−多値変換を行って網点面積率％を求めてから、求めた網点面積率％値に基づいて補正量を制御する方式が一般的であったが、この従来の方式によれば演算負荷が大きくなっていたのに対して、本実施の形態では外側エッジ及び内側エッジの組み合わせで調整することで、２値−多値変換は必要なく、補正バランスの調整が低コストで実現可能となる。
【００４４】
上述のように、本実施の形態では、シャドウ側、ハイライト側における補正バランスを調整するために、外側エッジ及び内側エッジで１列目と２列目までの２画素分相当のエッジ幅について濃度を変えるようにしたが、例えばスクリーン線数が175lpiの網点を出力解像度2400dpiで出力する場合には、エッジ幅は１画素相当分または２画素相当分のエッジ幅が望ましい。
【００４５】
但し、適切なエッジ幅はスクリーン線数、出力解像度によって変わるので、それらに応じて適切なエッジ幅となるように、外側エッジ及び内側エッジにおけるエッジ幅を設定することが好ましい。従って、本発明では、エッジ幅が１列の場合を含めて、エッジ幅の列数（画素数）を適宜設定することが好ましい。
【００４６】
即ち、網点画像は、スクリーン線数によって網点のサイズが変わり、スクリーン線数が小さくなるほど、網点のサイズが大きくなるため、エッジ幅も大きくすることが好ましい。
【００４７】
また、出力解像度が変わった場合には、同じスクリーン線数でも網点を構成する画素数が変わり、出力解像度が大きくなると、１つ１つの画素サイズが小さくなるため、エッジ１列の幅も小さくなる。よって、出力解像度が大きくなるほど、エッジ幅を大きくすることが好ましい。
【００４８】
なお、スクリーン線数とは、印刷の精度を示すもので、網点を１インチに何列並べるかで表し、単位は「線」または「lpi」（lines per inch）であり、大きくなるほど網点ひとつひとつの大きさは小さくなる。また、出力解像度とは、印刷でどれくらいのきめ細かさで出力するかを示すもので、単位はdpi（dots per inch）である。印刷の精度はスクリーン線数と出力解像度の組み合わせでほぼ決まる。 
【００４９】
また、外側エッジ及び内側エッジにつき検出するエッジ幅が１列の場合は、図２のエッジ検出部２２で３×３のマスクを用いて各１列目まで検出し、図６で外側エッジの１列目の画素４と内側エッジの画素５の各濃度を変えて階調調整を行い、ドットゲイン調整をする。この場合も、図７と同様に、ハイライト側においては網点の外側エッジほどハイライト側への影響が強い特性があり、また内側エッジほどシャドウ側ヘの影響が強い特性があるので、これらの特性の違いを利用してハイライト側及びシャドウ側における補正のバランスを調整できる。
【００５０】
また、外側エッジ及び内側エッジについて検出し濃度を変えるエッジ幅が３列またはそれ以上であっても、同様にして、各画素の濃度を変えて階調調整を行い、ハイライト側及びシャドウ側における補正のバランスを調整できる。
【００５１】
また、上記網点の境界画素の境界における外側エッジとは、境界に隣接した色の付いていない画素であり、その１列目は境界の隣の色の付いていない画素、２列目はそのまた隣の色の付いていない画素である。同じく、内側エッジとは、境界に隣接した色の付いた画素であり、その１列目は境界の隣の色の付いた画素であり、２列目は境界画素の隣の色の付いた画素である。
【００５２】
以上のように本発明を実施するための最良の形態について説明したが、本発明はこれらに限定されるものではなく、本発明の技術的思想の範囲内で各種の変形が可能である。例えば、本実施の形態では、検出した外側エッジ及び内側エッジの各画素について濃度を低く変えるようにしたが、色調を変えるようにしてもよいことは勿論である。
【００５３】
また、図１の破線で示すようにクライアント端末１から直接にＰＳデータを制御装置１０に入力し、制御装置１０においてＰＳデータのラスター・イメージ変換処理を行うようにしてもよい。
【００５４】
また、図１の制御装置１０に入力する画像データは、各種のフォーマットの画像データであってよく、例えば、ベクトル系としては、ＰＳ(PostScript)データ以外に、ＰＤＦ、ＥＰＳ等であってもよく、また、ラスター系としてはＴＩＦＦ，ＴＩＦＦ／ＩＴ、その他専用フォーマット等であってよく、更に、２値データとしては、ＴＩＦＦbitmap、その他専用フォーマット等であってもよい。
【図面の簡単な説明】
【００５５】
【図１】本実施の形態による網点画像形成装置を含む印刷システムの構成例を概略的に示す図である。
【図２】図１の網点画像形成装置の要部を示すブロック図である。
【図３】図２のエッジ検出部において５×５マスクによるエッジ検出を説明するための図である。
【図４】図２のＬＵＴ２２に対してＣＰＵ２３により設定されるＲＧＢの各光源駆動値の例を模式的に示す図である。
【図５】階調調整が行われていないプルーフ画像の一部を拡大して比較のために示す模式図である。
【図６】本実施の形態において図５の網点画像に対しその外側エッジの１列目と２列目及び内側エッジの１列目と２列目の各濃度を変えたプルーフ画像を拡大した模式図である。
【図７】図７（ａ）は本実施の形態において網点面積率が例えば１％のハイライト側（階調濃度が淡い部分）におけるプルーフ画像の一部を拡大した模式図であり、図７（ｂ）は網点面積率が例えば９９％のシャドウ側（階調が濃い部分）におけるプルーフ画像の一部を拡大した模式図である。
【図８】本実施の形態においてドットゲイン調整をした場合の調整率と網点面積率との関係を概略的に従来例（破線）と比較して示す図である。
【図９】図１乃至図４の網点画像形成装置１１の動作を説明するためのフローチャートである。
【符号の説明】
【００５６】
４ 外側エッジの１列目の画素
４ａ 外側エッジの２列目の画素
５ 境界画素、内側エッジの１列目の画素
５ａ 内側エッジの２列目の画素
６ 網点の境界
１０ 網点
１１ 網点画像形成装置
２１ エッジ検出部
２４ 露光部
２５ 現像部
５０ 中央画素
５１ 周辺画素
ｇ ハイライト側の色の付いた１画素
ｇ’ シャドウ側の色の付いていない１画素
【図１】
2005333355.tif 000003
【図２】
2005333355.tif 000004
【図３】
2005333355.tif 000005
【図４】
2005333355.tif 000006
【図５】
2005333355.tif 000007
【図６】
2005333355.tif 000008
【図７】
2005333355.tif 000009
【図８】
2005333355.tif 000010
【図９】
2005333355.tif 000011